(57)【特許請求の範囲】
【請求項１】
枠に障子を見込み方向に開閉自在に設けた建具であって、
前記枠と障子に、枠側部材と障子側部材を対向してそれぞれ取り付け、当該障子側部材は障子全開状態において前記枠よりも見込み方向一方側に位置し、
前記枠側部材は、枠に取り付けられるラッチ受け支承部材と、このラッチ受け支承部材に見込み一方側位置と見込み方向他方側位置とに渡って見込み方向に移動自在に支承したラッチ受けを備え、
前記障子側部材は、障子に取り付けられるラッチ支承部材と、このラッチ支承部材に上方位置と下方位置とに渡って上下方向に移動自在に支承したラッチを備え、
障子全開状態では、前記ラッチが下方位置となり、前記ラッチ受けが見込み方向他方側寄り位置で、かつ前記ラッチよりも上方に位置し、
前記ラッチとラッチ受けの一方にマグネットを設けると共に、他方にマグネットと吸着する吸着部材を設け、前記障子全閉状態でマグネットと吸着部材の吸着力でラッチが上方に移動し、かつラッチ受けが見込み方向一方側に移動することでラッチの見込み方向他方部とラッチ受けの見込み方向一方部が吸着して障子を閉じ位置で保持するようにしたことを特徴とする建具。
【請求項２】
前記ラッチおよび前記ラッチ受けにそれぞれマグネットを設け、
前記ラッチ受けのマグネットとラッチのマグネットの一方を、左右方向に移動可能とした請求項１記載の建具。
【請求項３】
前記ラッチのマグネットを、当該ラッチに対して左右方向に移動しないように設けると共に、前記ラッチ受けのマグネットを、当該ラッチ受けに対して左右方向に移動可能に設けた請求項２記載の建具。
【請求項４】
前記ラッチ受けは、見込み方向他方側寄り位置と見込み方向一方側寄り位置とに亘って前記ラッチ受け支承部材に対して見込み方向に移動自在に設け、
前記ラッチ受け支承部材に吸着部材を設け、障子開放状態でラッチ受けに設けたマグネットがラッチ受け支承部材の吸着部材に吸着することで、ラッチ受けが見込み方向他方側寄り位置に保持されるようにした請求項２又は３記載の建具。
【請求項５】
前記ラッチと枠に、相互に係止することで障子が開き方向に移動しないように保持する係止部と被係止部を対向して設け、
前記ラッチに設けた係止部は、水平に対して見込み方向他方側寄りが見込み方向一方側寄りも上方となる傾斜面とし、
前記ラッチは、上方位置と下方位置とに亘って前記ラッチ支承部材に対して移動自在に設け、
障子全開状態では、前記ラッチが下方位置となり、かつ、前記ラッチ受けが見込み方向他方側寄り位置となり、
障子全閉状態では、ラッチが上方位置、または、上方位置と下方位置の中間位置となり、かつ、前記ラッチ受けが見込み方向一方側寄り位置、または、見込み方向一方側寄り位置と見込み方向他方側寄り位置の中間位置となることで、前記係止部が前記被係止部に係止するようにした請求項１〜４いずれか１項記載の建具。
【発明の詳細な説明】
【技術分野】
【０００１】
本発明は、折戸や開き戸などのように、枠に障子を開閉自在に設けた建具に関する。
【背景技術】
【０００２】
従来、浴室の出入口に設ける折戸においては、障子を閉じ位置で保持する等のために、ラッチ装置を用いている。
例えば、特許文献１に開示したように、障子の上部にマグネットを備えたマグネットラッチを取り付け、枠の上部にラッチ受けを取り付け、障子を閉じることでマグネットラッチがラッチ受けに吸着され、障子を閉じ位置で保持し、弱い開き力では障子が開放しないようにしている。
【先行技術文献】
【特許文献】
【０００３】
【特許文献１】実開平５−３８２１８号公報
【発明の概要】
【発明が解決しようとする課題】
【０００４】
前述したマグネットラッチとラッチ受けを有したラッチ装置は、マグネットラッチの磁力でラッチ受けに吸着されるので、そのマグネットラッチとラッチ受けが正確に対向することが重要である。つまり、マグネットラッチとラッチ受けの取り付け位置が上下方向に相互にずれて正確に対向しない場合には、ラッチ装置として確実に機能せずに障子を閉じ位置で確実に保持できない。
一方、建具においては枠、障子の組立誤差、枠に障子を取り付ける取付誤差、建具を長年使用したことによるソリや曲がりなどの経年変位等により、枠と障子の相対位置がずれることがある。
このように、枠と障子の相対位置がずれるとマグネットラッチとラッチ受けが正確に対向せずに確実に機能しないことがある。
そこで、前述した従来のラッチ装置では、マグネットラッチを上框に上下方向に移動可能に設けると共に、上框の上下方向の長孔から取付ねじをマグネットラッチに螺合して固定するようにすることで、そのマグネットラッチの上下位置を調整可能としている。
【０００５】
このようにすることで、枠と障子の相対位置が上下方向にずれたときに、人がマグネットラッチを上下方向に移動し、マグネットラッチとラッチ受けを上下方向に正確に対向できるように調整できるので、障子を閉じ位置で確実に保持できるが、取付ねじを弛めてマグネットラッチを上框に対して上下方向に移動してラッチ受けと上下方向位置を合わせ、その後に取付ねじを締め付けてマグネットラッチを上框に固定するので、その調整操作が大変面倒である。
しかも、ラッチ受けの障子開閉方向の位置は一定であるから、障子の閉じ位置が障子開閉方向にずれた場合に、マグネットラッチとラッチ受けが吸着せずにラッチ装置として機能せずに、障子を閉じ位置で確実に保持できない。
【０００６】
本発明の目的は、枠と障子の相対位置が上下方向にずれた場合でも面倒な調整操作せずにラッチとラッチ受けが上下方向に正確に対向してマグネットの磁力で障子を閉じ位置で確実に保持でき、障子の閉じ位置が見込み方向にずれた場合でもラッチとラッチ受けがマグネットの磁力で吸着して障子を閉じ位置で確実に保持できるようにした建具とすることである。
【課題を解決するための手段】
【０００７】
本発明は、枠に障子を見込み方向に開閉自在に設けた建具であって、
前記枠と障子に、枠側部材と障子側部材を対向してそれぞれ取り付け、当該障子側部材は障子全開状態において前記枠よりも見込み方向一方側に位置し、
前記枠側部材は、枠に取り付けられるラッチ受け支承部材と、このラッチ受け支承部材に見込み一方側位置と見込み方向他方側位置とに渡って見込み方向に移動自在に支承したラッチ受けを備え、
前記障子側部材は、障子に取り付けられるラッチ支承部材と、このラッチ支承部材に上方位置と下方位置とに渡って上下方向に移動自在に支承したラッチを備え、
障子全開状態では、前記ラッチが下方位置となり、前記ラッチ受けが見込み方向他方側寄り位置で、かつ前記ラッチよりも上方に位置し、
前記ラッチとラッチ受けの一方にマグネットを設けると共に、他方にマグネットと吸着する吸着部材を設け、前記障子全閉状態でマグネットと吸着部材の吸着力でラッチが上方に移動し、かつラッチ受けが見込み方向一方側に移動することでラッチの見込み方向他方部とラッチ受けの見込み方向一方部が吸着して障子を閉じ位置で保持するようにしたことを特徴とする建具である。
【０００８】
本発明においては、前記ラッチ及び前記ラッチ受けにそれぞれマグネットを設け、前記ラッチ受けのマグネットとラッチのマグネットの一方を左右方向に移動可能とすることができる。
このようにすれば、ラッチとラッチ受けとの左右方向位置がずれたときに、その位置ずれに追従して一方のマグネットが左右方向に動き、一方のマグネットと他方のマグネットが左右方向に合致して吸着するので、障子を閉じ位置で確実に保持することができる。
また、障子を閉じ位置から開き側に移動するときに吸着しているマグネットが引き離されるが、その際に一方のマグネットが左右方向に動いてマグネット同士が左右方向において相対的に位置ずれさせることによって、障子の開放移動に伴ってマグネット同士の吸着面積が徐々に減少して吸着力を弱めてマグネット同士を引き離し易くすることが可能となり、開放操作力を小さくすることができる。
【０００９】
本発明においては、前記ラッチのマグネットを、当該ラッチに対して左右方向に移動しないように設けると共に、前記ラッチ受けのマグネットを、当該ラッチ受けに対して左右方向に移動可能に設けることができる。
このようにすれば、障子開閉時にラッチに設けたマグネットが動くことがなく、マグネットの動きによる異音が生じない。つまり、障子開閉に伴って遠心力や慣性力、開閉操作に伴う振動等が障子に作用することから、仮に障子側に設けたラッチに対してマグネットを左右方向に移動可能に設けた場合では、障子開閉時に生じる前記作用によってラッチのマグネットが移動し易くなり、その移動に伴う衝突により異音が発生し易くなる。
【００１０】
本発明においては、前記ラッチ受けは、見込み方向他方側寄り位置と見込み方向一方側寄り位置とに亘って前記ラッチ受け支承部材に対して見込み方向に移動自在に設け、前記ラッチ受け支承部材に吸着部材を設け、障子開放状態でラッチ受けに設けたマグネットがラッチ受け支承部材の吸着部材に吸着することで、ラッチ受けが見込み方向他方側寄り位置に保持されるようできる。
このようにすれば、障子開放状態でラッチ受けが見込み方向他側寄り位置に確実に保持される。
【００１１】
本発明においては、前記ラッチと枠に、相互に係止することで障子が開き方向に移動しないように保持する係止部と被係止部を対向して設け、
前記ラッチに設けた係止部は、水平に対して見込み方向他方側寄りが見込み方向一方側寄りも上方となる傾斜面とし、
前記ラッチは、上方位置と下方位置とに亘って前記ラッチ支承部材に対して移動自在に設け、
障子全開状態では、前記ラッチが下方位置となり、かつ、前記ラッチ受けが見込み方向他方側寄り位置となり、
障子全閉状態では、ラッチが上方位置、または、上方位置と下方位置の中間位置となり、かつ、前記ラッチ受けが見込み方向一方側寄り位置、または、見込み方向一方側寄り位置と見込み方向他方側寄り位置の中間位置となることで、前記係止部が前記被係止部に係止するようにできる。
このようにすれば、障子閉じ位置で係止部が被係止部に係止するので、障子を閉じ位置で一層確実に保持できる。
【発明の効果】
【００１２】
本発明によれば、障子閉じ位置のときにラッチがマグネットの吸着力で枠と障子の相対位置の上下方向のずれに応じて上方に移動し、ラッチ受けがマグネットの吸着力で障子閉じ位置の見込み方向ずれに応じて見込み方向に移動するので、枠と障子の相対位置が上下方向にずれた場合でも面倒な調整操作せずにラッチとラッチ受けが上下方向に正確に対向してマグネットの磁力で障子を閉じ位置に確実に保持でき、障子の閉じ位置が見込み方向にずれた場合でもラッチとラッチ受けがマグネットの磁力で吸着して障子を閉じ位置に確実に保持できる。
また、ラッチはラッチ支承部材に上下方向に移動自在に支承されているので、そのラッチ支承部材を障子に取り付けることでラッチを障子に対してスムーズに上下方向に移動するようにでき、その取付け作業が簡単である。
また、ラッチ受けはラッチ受け支承部材に見込み方向に移動自在に支承されているので、そのラッチ受け支承部材を枠に取り付けることでラッチを枠に対してスムーズに見込み方向に移動するようにでき、その取付け作業が簡単である。
【図面の簡単な説明】
【００１３】
【図１】本発明の実施の形態を示す折れ戸の正面図である。
【図２】図１のＡ−Ａ断面図である。
【図３】図１のＢ−Ｂ断面図である。
【図４】障子側部材、枠側部材の取付部分の一部破断拡大図である。
【図５】図４のＣ−Ｃ断面図である。
【図６】障子開放状態の説明図である。
【図７】障子側部材の取付け状態の縦断面図である。
【図８】障子側部材と枠側部材の斜視図である。
【図９】障子側部材と枠側部材をマグネット部分で断面した横断面斜視図である。
【図１０】枠側部材の縦断面図である。
【発明を実施するための形態】
【００１４】
図１に示すように、枠１に障子２を開閉自在に設けて建具としてある。
この枠１は、上枠１０と下枠１１と左右の縦枠１２で方形枠形状である。
障子２は、２つの障子２ａ，２ｂを有し、その各障子は、上框２０と下框２１と召合せ框（縦框）２２と戸先框（縦框）２３を方形状に連結し、その内部にガラスや樹脂プレートなどの面材２４を設けてある。
図２に示すように、上枠１０の面内方向内側（上下方向下方側）の内側面（下面）１０ａにはレール１３が長手方向（図１における左右方向）に連続して有し、このレール１３は内側面１０ａよりも下方に突出している。ここで、枠１を基準として見込み方向でみた場合において、障子を開放する際に障子の大部分が移動する側（後述する図６参照）を見込み方向一方側（開き側）とし、その逆の方向を見込み方向他方側（閉じ側）とする。
上枠１０の内側面１０ａにおける見込み方向他方側端（面外方向一側端）には垂下片１４が設けてあり、この垂下片１４に、上框２０が接する上横シール材１５が設けてある。
下枠１１の面内方向内側（上下方向上方側）の内側面（上面）１１ａにはレール１６が長手方向に連続して有し、このレール１６は内側面１１ａよりも上方に突出している。
【００１５】
各障子２ａ，２ｂの召合せ框２２は図３に示すように、中空部２２ａを有した本体２２ｂと連結部２２ｃを備え、その連結部２２ｃを継手２５で見込み方向（面外方向）に回動自在に連結することで、２つの障子２ａ，２ｂを折り畳み自在としている。
図１に示すように、一方の障子２ａの戸先框２３の上下を上枠１０、下枠１１に見込み方向に回動可能に連結し、他方の障子２ｂの戸先框２３の上下部に設けた摺動部材２６を図２に示すように、上枠１０のレール１３、下枠１１のレール１６に沿って面内方向（左右方向）に摺動自在に支承することで、折戸としてある。図１に示す折戸は浴室用折戸で、見込み方向他方側が脱衣室側で、見込み方向一方側が浴室側としてある。
本発明の建具は折戸に限ることはない。例えば、枠に１枚の障子を面外方向に回動自在に設けた開き戸でも良く、それ以外の建具であっても良い。
要するに、本発明の建具は、枠に障子を、閉じ位置と開き位置とに亘って移動自在に設けたものであれば良い。
【００１６】
図１に示すように、一方の障子２ａの上部に障子側部材３を設けると共に、枠１の上部に枠側部材５が設けてある。
この障子側部材３は図４、図５、図６に示すように、ラッチ支承部材３０と、このラッチ支承部材３０に上下方向に移動自在に支承したラッチ４０を備えている。
このラッチ４０はマグネット４１を有し、図５に示す上方位置と図６に示す下方位置とに亘って上下方向に移動自在で、自重で下方位置に保持されている。
枠側部材５は図４、図５、図６に示すように、ラッチ受け支承部材５０と、このラッチ受け支承部材５０に見込み方向に移動自在に支承したラッチ受け６０を備えている。
このラッチ受け６０はマグネット６１を有し、このマグネット６１は、前述のラッチ４０が上方位置のときに、そのマグネット４１と上下方向に正確に対向するようにしてある。
【００１７】
このようであるから、障子２が開き位置である見込み方向一方側位置のときには図６に示すように見込み方向一方側に位置した障子側部材３のラッチ４０は下方位置に保持され、そのマグネット４１はラッチ受け６０のマグネット６１よりも下方に位置している。なお、マグネット４１はラッチ受け６０のマグネット６１よりも下方に位置するとしたが、これに限らず、マグネット４１の上面がマグネット６１の下面よりも若干上方に位置してもよい。つまり、マグネット６１に対するマグネット４１の上下方向の位置関係において、図５のように障子２が閉じた状態と比較して図６のように障子２が開いた状態のマグネ
ット４１の方が下方に位置していれば良い。
ラッチ受け６０は見込み方向他方側寄りに後述する手段で保持されている。
前述の状態から障子２を閉じ位置に向けて移動することで、ラッチ４０のマグネット４１がラッチ受け６０のマグネット６１に順次接近し、そのマグネット４１，６１の吸着力によってラッチ４０に上方に向かう力が働き、ラッチ４０が順次上方に移動し、障子２が図５に示す閉じ位置に移動するとラッチ４０のマグネット４１とラッチ受け６０のマグネット６１が同一高さとなって上下方向に正確に対向し、障子２を閉じ位置で確実に保持することができる。
【００１８】
しかも、組立誤差、取付誤差、経年変化等で枠１と障子２の相対位置が上下方向にずれた場合、例えば図６において障子２が図示の位置から上方又は下方に移動して枠１との相対位置が上下方向にずれた場合には、障子２を閉じ位置としたときのラッチ４０の上下方向の移動量が異なるだけで、障子２が閉じ位置のときにはラッチ４０のマグネット４１とラッチ受け６０のマグネット６１は同一高さで上下方向に正確に対向する。
さらに具体的に説明すると、前述の組立誤差等が生じていない場合においては、ラッチ４０が最も上方位置に移動することで、ラッチ４０のマグネット４１とラッチ受け６０のマグネット６１が同一高さで対向してマグネット４１、６１同士が吸着するが、前述の組立誤差等が生じた場合においては、ラッチ４０が最も上方位置まで移動せずに途中の高さ位置（上方位置と下方位置の中間位置）まで移動した時点で、ラッチ４０のマグネット４１とラッチ受け６０のマグネット６１が同一高さで対向してマグネット４１、６１同士が吸着する。
したがって、枠１と障子２の相対位置が上下方向にずれた場合でも、面倒な調整操作せずに障子２を閉じ位置で確実に保持することができる。
【００１９】
また、障子２の閉じ位置が見込み方向にずれた場合、例えば図５において障子２の閉じ位置が図示の位置よりも見込み方向一方側にずれた場合には、ラッチ４０の障子閉じ位置での位置が見込み方向一方側にずれるが、そのラッチ４０の位置ずれに追従するようにラッチ受け６０が障子２の見込み方向一方側に移動し、両方のマグネット４１，６１が正しく吸着するので、障子２を閉じ位置で確実に保持することができる。
さらに具体的に説明すると、前述の組立誤差等が生じていない場合においては、ラッチ受け６０が最も見込み方向一方側に移動することで、ラッチ４０のマグネット４１とラッチ受け６０のマグネット６１が対向してマグネット４１、６１同士が吸着するが、前述の組立誤差等が生じた場合においては、ラッチ受け６０が最も見込み方向一方側まで移動せずに途中の位置（見込み方向一方側と見込み方向他方側の中間位置）まで移動した時点で、ラッチ４０のマグネット４１とラッチ受け６０のマグネット６１が対向してマグネット４１、６１同士が吸着する。
【００２０】
前述のように、ラッチ４０はラッチ支承部材３０に移動自在に支承され、ラッチ受け６０はラッチ受け支承部材５０に移動自在に支承されているので、ラッチ支承部材３０、ラッチ受け支承部材５０を障子２、枠１に取り付けることで、ラッチ４０を障子２に対してスムーズに上下方向に移動できると共に、ラッチ受け６０を枠１に対してスムーズに見込み方向に移動でき、そのラッチ４０、ラッチ受け６０の取り付けが容易である。
つまり、ラッチ４０、ラッチ受け６０を障子２、枠１に直接移動自在に取り付けるためには、障子２、枠１に特別な加工等を施す必要があり、面倒である。
【００２１】
前述したラッチ４０には、上枠１０の被係止部、例えばレール１３に係止して障子側部材３が見込み方向一方側に移動しないように保持する係止部４２が設けてある。この係止部４２のレール１３に係止する部分は、水平に対して見込み方向他方側寄りが見込み方向一方側寄りよりも上方となるような傾斜面である。
この傾斜面は、直線状の面であっても良いし、円弧状の面であっても良い。
ラッチ４０における係止部４２と見込み方向反対側の部分４３は係止部４２と反対向きの傾斜面で、ラッチ４０の係止部４２を形成する上方に突出した部分はほぼ台形状である。
なお、ラッチ４０の前述した上方に突出した部分はほぼ台形状に限ることはなく、ほぼ蒲鉾形状、半円形状、山形状でも良い。
前述した枠側部材５のラッチ受け支承部材５０は、上枠１０の内側面１０ａにおけるレール１３よりも見込み方向他方側寄り部分１０ｂに設けてある。
【００２２】
そして、障子２が開放しているときには図６に示すように、ラッチ４０がレール１３よりも下方に位置し、障子２を閉じ位置に向けて移動するとラッチ４０はレール１３と干渉せずにラッチ受け６０に接近し、障子２を閉じ位置とすることでマグネット４１，６１が吸着すると共に、ラッチ４０の係止部４２がレール１３に係止して障子が見込み方向一方側に向けて移動しないように保持する。
なお、障子２を閉じ位置に向けて移動途中でラッチ４０がレール１３と干渉した場合は、前述した見込み方向反対側の部分４３がレール１３に摺接しながらラッチ４０が下方に移動することで、ラッチ４０の上面がレール１３よりも下方位置まで移動するので、障子２を全閉位置まで移動することができる。
【００２３】
このように、マグネット４１，６１の吸着力によってのみ障子２を閉じ位置で保持するのではなく、マグネット４１，６１の吸着力と、その係止部４２がレール１３に係止することにより障子２が開き側に移動し難くしているから、障子２を閉じ位置で保持する力を大きくできる。
【００２４】
図５に示す障子閉じ状態から、障子２に見込み方向一方側に向かう力（矢印ａ）を負荷すると、ラッチ４０の係止部４２の傾斜面がレール１３に摺接することによって、ラッチ４０に下向きの力が負荷し、マグネット４１，６１の吸着力に抗してラッチ４０は下方に移動して係止部４２がレール１３よりも下方位置まで移動するので、図６に示すように、障子２を見込み方向一方側に向けて移動できる。つまり、開放できる。このとき、ラッチ４０が下方に移動するから、マグネット４１がマグネット６１に対して下方に移動することになるので、マグネット４１とマグネット６１が離れ易い。
【００２５】
次に、各部材を詳細に説明する。
ラッチ支承部材３０は、図４、図５、図７、図８に示すように、上框２０の長手方向に連続した上向き凹部２０ａに嵌め込んで取り付けられる本体３１と、この本体３１の長手方向一端部と連続した長手方向に向かうプレート３２と、このプレート３２の下面に設けた嵌合片３３を備え、その本体３１にラッチ支承用孔３４が上面３１ａと下面３１ｂに開口して有していると共に、本体３１の見込み方向の両側面３１ｃの上部に突起３５がそれぞれ設けてある。
そして、本体３１を上框２０の上向き凹部２０ａに、その突起３５が上向き凹部２０ａの開口端縁に係合して上方に向け出ないように嵌め込んで下面３１ａを上向き凹部２０ａの底面２０ａ−１に接すると共に、嵌合片３３を召合せ框２２の中空部２２ａに嵌合してラッチ支承部材３０を上框２０と召合せ框２２とに亘って取り付けてある。
前記プレート３２が召合せ框２２の上端面に接して中空部２２ａの上部を閉塞している。
【００２６】
このようであるから、ラッチ支承部材３０を障子２の上部にビスなどを用いずに簡単に取り付けできると共に、召合せ框２２の上部の見栄えが良い。
【００２７】
ラッチ４０はラッチ支承部材３０のラッチ支承孔３４内に上下動自在に支承され、ラッチ４０が下方位置のときには、その下面４０ａが上框２０の上向き凹部２０ａの底面２０ａ−１に接触する。
この底面２０ａ−１におけるラッチ４０の下面４０ａが接触する部分の周囲はラッチ支承部材３０で覆われ、その部分には上向き凹部２０ａ内のゴミや水が入り込むことが抑制されるので、ラッチ４０とラッチ支承部材３０との摺動部分に上向き凹部２０ａ内のゴミや水が入り込むことが抑制され、ラッチ４０が長期間に亘ってスムーズに上下方向に移動することができる状態を維持できる。
【００２８】
図７に示すように、ラッチ４０の下面４０ａには複数の突起４４が設けてあり、そのラッチ４０が上向き凹部３０ａの底面２０ａ−１に接触する面積を少なくしているので、ラッチ４０を小さな力で上方に移動できる。
【００２９】
前記ラッチ４０は図７、図９に示すようにマグネット収容用の空洞部４５を有している。例えば、下面が開口した箱状のケース４６と下面蓋４７で空洞部４５を有するラッチ４０としてある。
その空洞部４５にマグネット４１が収容してある。このマグネット４１の見込み方向一方側面である背面（ラッチ受け６０のマグネット６１と対向する面と反対側の面）には鉄部材４８、例えば鉄製のプレートを設け、マグネット４１の磁力をアップしている。
【００３０】
前述のラッチ受け支承部材５０は図４、図５、図８〜図１０に示すように、本体５１と、この本体５１の上部に設けた取付部５２を有し、その本体５１はラッチ受け支承部５３と、このラッチ受け支承部５３よりも上方の吸着部材取付部５４を有する。
このラッチ受け支承部５３にラッチ受け６０が見込み方向に移動自在に支承してあると共に、吸着部材取付部５４にマグネットと吸着する吸着部材５５、例えば磁性を有するステンレス製のプレートが設けてある。
そして、取付部５２を上枠１０の内側面１０ａにおけるレール１３よりも見込み方向他方側寄り部分１０ｂに固着具、例えばビス５４で固着してある。
【００３１】
ラッチ受け６０は図１０に示すようにマグネット収容用の空洞部６２を有する。例えば、上面が開口した箱状のケース６３に上蓋６４を取り付けて空洞部６２を有するラッチ受け６０としてある。
図９に示すように、空洞部６２は左右方向に長く、見込み方向には短い長方形状で、その長さはマグネット６１の左右方向の長さよりも長く、空洞部６２の長手方向両側の内側面６２ａとマグネット６１の長手方向両端面６１ａとの間には、それぞれ隙間がある。
つまり、マグネット６１はラッチ受け６０に対して左右方向に所定の距離だけ移動可能としてある。
このマグネット６１の見込み方向他方側面である背面にも鉄部材６５、例えば鉄製のプレートを設けて磁力をアップしている。
【００３２】
ラッチ受け支承部材５０のラッチ受け支承部５３の障子開き側にはストッパ受け片５６が設けてあり、ラッチ受け６０に設けたストッパ片６６がストッパ受片５６に接することでラッチ受け６０の見込み方向一方側への移動を規制し、ラッチ受け６０が脱落しないようにしている。
【００３３】
図９に示すように、ラッチ４０のマグネット４１とラッチ受け６０のマグネット６１は左右方向寸法（長さ）が同一で、上下方向寸法（高さ）が同一であり、その各表面が、面内方向及び上下方向に正しく合致、つまり正確に対向するようにして相互に吸着することで障子２を閉じ位置で確実に保持するようにしてある。
一方、枠のたわみなどで上枠１０が変形等すると、その上枠１０の変形に追従して枠側部材５が左右方向に変位し、枠側部材５（ラッチ受け６０）と障子側部材３（ラッチ４０）が左右方向に位置がずれることがあるが、前述のように、マグネット６１がラッチ受け６０の空洞部６２内において前述の隙間分だけ左右方向に移動可能であるので、前述したラッチ６０とラッチ４０の左右方向の位置ずれに追従してラッチ受け６０のラッチ６１が、ラッチ受け６０に対して左右方向に移動し、前述したようにラッチ４０のマグネット４１とラッチ受け６０のマグネット６１が左右方向に正しく合致して吸着し、障子側部材３と枠側部材５が左右方向に位置ずれが生じた場合でも、障子２を閉じ位置で確実に保持することができる。
【００３４】
また、ラッチ４０のマグネット４１とラッチ受け６０のマグネット６１が吸着している状態から障子２を見込み方向一方側に移動することで、前述のマグネット４１とマグネット６１が引き離され、そのマグネット同士を引き離す際にラッチ受け６０のマグネット６１が前述の隙間だけラッチ受け６０に対して左右方向に動くことによって、障子２の開放移動に伴ってマグネット４１、６１同士の吸着面積が徐々に減少して吸着力を弱めてマグネット４１、６１同士を引き離し易くすることが可能となり、開放操作力を小さくすることができる。
つまり、マグネット６１と空洞部６２との間に前述の隙間がないと、マグネット同士を引き離す寸前まで吸着力が最大となっているため、引き離した際の衝撃で枠１、障子２に強い振動を与えるが、前述のようにマグネット６１が隙間分だけ左右方向に動くことで振動が抑制される。
【００３５】
なお、ラッチ４０のマグネット４１を、ラッチ４０に対して左右方向に移動可能とし、ラッチ受け６０のマグネット６１をラッチ受け６０に対して左右方向に動かないようにしても良いが、このようにすると障子２を開閉するときにラッチ４０に対してマグネット４１が左右方向に動いて音が生じるので、前述のようにラッチ４０のマグネット４１を、ラッチ４０に対して左右方向に動かないようにし、ラッチ受け６０のマグネット６１を、ラッチ受け６０に対して左右方向に移動可能とすることが好ましい。
つまり、障子開閉に伴って遠心力や慣性力、開閉操作に伴う振動等が障子２に作用することから、仮に障子２側に設けたラッチ４０に対してマグネット４１を左右方向に移動可能に設けた場合では、障子開閉時に生じる前述の作用によってラッチ４０のマグネット４１が左右方向に移動し易くなり、その移動に伴う衝突により異音が発生し易くなる。
【００３６】
図６に示すように、障子２を開放してラッチ４０がラッチ受け６０と離れた場合には、ラッチ受け６０のマグネット６１が図１０に示す吸着部材５５を吸着することでラッチ受け６０が図６、図１０に示す見込み方向他側寄りの位置に保持される。例えば、ラッチ受け支承部材５０のラッチ受け支承部５３内に収容される。
このようにすることで、障子２が開放しているときにはラッチ受け６０は見込み方向他側寄り位置に保持され、振動などにより動くことがない。
【００３７】
また、図１に示す折れ戸の場合には、障子２を開放するときに他方の障子２ｂの摺動部材２６がレール１３に沿って摺動するが、その摺動部材２６がラッチ受け６０と干渉しないようにできる。
つまり、障子２を開放するときに摺動部材２６はレール１３に沿って摺動するので、ラッチ受け６０がラッチ受け支承部材５０よりもレール１３側に突出していると、摺動部材２６がラッチ受け６０と干渉することがあるから、前述のように吸着部材５５を設けてラッチ受け６０をラッチ受け支承部材５０に収容するようにしてある。
【００３８】
前述の実施の形態では、ラッチ４０とラッチ受け６０にマグネット４１，６１をそれぞれ設けたが、どちらか一方にマグネットを設け、他方にはマグネットと吸着する吸着部材を設ければ良い。
また、ラッチ４０は垂直方向に上下動するようにしたが、垂直方向に対して左右又は見込み方向に斜めの方向に上下動するようにしても良いし、ラッチ４０が回転しながら垂直方向又は斜め方向に上下動するようにしても良い。
つまり、上下方向に移動自在とは、上方位置と下方位置とに亘って移動自在であれば良いため、上方位置と下方位置の間における移動の仕方は必ずしも垂直方向の移動に限定されることはない。なお、上方位置と下方位置は、お互いが垂直方向に対向する位置となる必要は必ずしもなく、例えば上方位置に対して下方位置が左右方向や見込み方向等、水平方向に位置がずれていても良い。
また、ラッチ受け６０は水平方向に移動することで見込み方向に移動するようにしたが、水平方向に対して斜め上向き、又は斜め下向きの斜めの方向に移動することで見込み方向に移動するようにしても良いし、ラッチ受け６０が回転しながら水平方向又は斜め方向に移動することで見込み方向に移動するようにしても良い。
つまり、見込み方向に移動自在とは、見込み方向一方側位置と見込み方向他方側位置とに亘って移動自在であれば良いため、見込み方向一方側位置と見込み方向他方側位置の間における移動の仕方は必ずしも見込み方向に対して平行となる移動に限定されることはない。なお、見込み方向一方側位置と見込み方向他方側位置は、お互いが見込み方向に対向する位置となる必要は必ずしもなく、例えば見込み方向一方側位置に対して見込み方向他方側位置が左右方向や上下方向に位置がずれていても良い。
また、ラッチ４０の移動方向とラッチ受け６０の移動方向は前述の各方向を適宜組み合わせることができる。
【符号の説明】
【００３９】
１…枠、２…障子、３…障子側部材、５…枠側部材、１０…上枠、１３…レール（被係止部）、２０…上框、３０…ラッチ支承部材、４０…ラッチ、４１…マグネット、４２…係止部、５０…ラッチ受け支承部材、５５…吸着部材、６０…ラッチ受け、６１…マグネット。
【図１】
0005831939.tif 000002
【図２】
0005831939.tif 000003
【図３】
0005831939.tif 000004
【図４】
0005831939.tif 000005
【図５】
0005831939.tif 000006
【図６】
0005831939.tif 000007
【図７】
0005831939.tif 000008
【図８】
0005831939.tif 000009
【図９】
0005831939.tif 000010
【図１０】
0005831939.tif 000011